(57)【要約】【課題】本発明は、メディアを保護することができ、しかも該メディアを安全且つ確実に取り出すことのできるメディアケースを提供することを課題とする。【解決手段】プレート状のメディアを収容するケース本体と、該ケース本体に収容したメディアを収容状態で保持する保持体とを備え、前記ケース本体は、メディアを出し入れするスリット状の出入口と、該出入口から出し入れされるメディアの両面を案内可能に対向した一対の案内面とを備え、該一対の案内面間には、メディアを収容する収容部と、前記出入口と収容部とを連通させる経路とが形成され、前記保持体は、前記経路に対して出退可能に設けられ、経路内に突出することで収容部内のメディアが出入口に向けて移動するのを規制する一方、経路から退避することでメディアが出入口に向けて移動できるように構成されてなることを特徴とする。【選択図】          図１
2005004938.tif 000002
【特許請求の範囲】
【請求項１】
プレート状のメディアを収容するケース本体と、該ケース本体に収容したメディアを収容状態で保持する保持体とを備え、前記ケース本体は、メディアを出し入れするスリット状の出入口と、該出入口から出し入れされるメディアの両面を案内可能に対向した一対の案内面とを備え、該一対の案内面間には、メディアを収容する収容部と、前記出入口と収容部とを連通させる経路とが形成され、前記保持体は、前記経路に対して出退可能に設けられ、経路内に突出することで収容部内のメディアが出入口に向けて移動するのを規制する一方、経路から退避することでメディアが出入口に向けて移動できるように構成されてなることを特徴とするメディアケース。
【請求項２】
ケース本体は、少なくとも一方の案内面に収容部と外部とを連通させる連通穴が設けられてなる請求項１に記載のメディアケース。
【発明の詳細な説明】
【０００１】
【発明の属する技術分野】
本発明は、ＣＤやＤＶＤ等のプレート状のメディアを収容するメディアケースに関する。
【０００２】
【従来の技術】
ＣＤやＤＶＤ等のプレート状のメディアは、中央部に穴が穿設されてドーナツ板状に形成されており、これらを収容するメディアケースとして、メディアを配置する樹脂製のケース本体と、該ケース本体内に配置されたメディアを覆うことができるように、ケース本体に開閉可能に枢着された樹脂製の蓋体とで構成され、該蓋体を閉じることで、該蓋体及びケース本体によってメディア全体を覆い、当該メディアを保護するように構成されたものがある。
【０００３】
かかるメディアケースは、蓋体を開閉した際にメディアが不用意に脱落したり、内部でメディアが無造作に揺れ動いたりするのを防止すべく、前記ケース本体内に配置したメディアを定位置に維持させ、該メディアの収容状態を保持する複数の保持爪が設けられている。
【０００４】
該複数の保持爪は、ケース本体におけるメディアの一方の面と対向する面に突設されており、メディアの穴に嵌め合わせた状態で、メディアの穴を形成する内周の縁部に対し、周方向に所定間隔を有して係合できるように配置されている。該複数の保持爪は、メディアを着脱できるように可撓性を持たせてケース本体と一体的に成形されており、メディアとケース本体とを面交差方向に相対移動させることで、当該保持爪が撓んで係脱できるようになっている。
【０００５】
【発明が解決しようとする課題】
しかしながら、上記メディアケースでは、複数の保持爪を撓ませることで、メディアと保持爪との係脱ができるようになっているため、該複数の保持爪が撓むような力が生じるようにメディアとケース本体とを相対移動させなければならないが、保持爪の突出方向（メディアの面直交方向）でメディアとケース本体とを相対移動させても保持爪が撓むような力が作用しにくく、メディアが取り外しにくいといった問題があった。
【０００６】
そのため、強引にメディアをケース本体から離間させようとすることが多く、メディアが保持爪から外れた際に、該メディアを不用意に落としてしまう等といった不慮の事故が発生する虞があった。
【０００７】
そこで、本発明は、斯かる実情に鑑み、メディアを保護することができ、しかも該メディアを安全且つ確実に取り出すことのできるメディアケースを提供することを課題とする。
【０００８】
【課題を解決するための手段】
本発明にかかるメディアケースは、上記課題を解決すべくなされたものであり、請求項１記載の如く、プレート状のメディアを収容するケース本体と、該ケース本体に収容したメディアを収容状態で保持する保持体とを備え、前記ケース本体は、メディアを出し入れするスリット状の出入口と、該出入口から出し入れされるメディアの両面を案内可能に対向した一対の案内面とを備え、該一対の案内面間には、メディアを収容する収容部と、前記出入口と収容部とを連通させる経路とが形成され、前記保持体は、前記経路に対して出退可能に設けられ、経路内に突出することで収容部内のメディアが出入口に向けて移動するのを規制する一方、経路から退避することでメディアが出入口に向けて移動できるように構成されてなることを特徴とする。
【０００９】
上記構成のメディアケースによれば、前記ケース本体は、メディアを出し入れするスリット状の出入口と、メディアの両面を案内可能な対向した一対の案内面とを備え、該一対の案内面間には、メディアを収容する収容部と、前記出入口と収容部とを連通させる経路とが形成されてなり、前記保持体は、前記経路に対して出退可能に設けられ、経路内に突出することで収容部内のメディアが出入口に向けて移動するのを規制する一方、経路から退避することでメディアが出入口に向けて移動できるように構成されているので、出入口からメディアを挿入すると、該メディアは、一対の案内面によって両面が案内された状態で、経路を介して収容部に到達することになる。
【００１０】
そして、収容部にメディアを収容した状態で保持体を経路に突出させると、メディアは、案内面間に介在した状態で出入口への移動が規制されることになる。つまり、収容部内のメディアは、一対の案内面によって面直交方向の移動が規制されるとともに、保持体により収容部内での面方向の移動が規制され、当該メディアは、収容状態で保持されて保護されることになる。
【００１１】
その一方で、保持体を経路から退避させると、収容部と出入口とを連通させる経路がメディアの通過を許容した状態、すなわち、メディアの面方向の移動が許容された状態となり、収容部内のメディアを経路を介して出入口から取り出すことができる。この際においても、メディアは、一対の案内面によって案内されつつ、収容部から出入口に向けて移動する。
【００１２】
従って、メディアをケース本体から無理矢理取り外すといった態様にはならないので、メディアを安全且つ確実に取り出すことができる。
【００１３】
また、請求項２記載の如く、ケース本体は、少なくとも一方の案内面に収容部と外部とを連通させる連通穴が設けられることが好ましい。このようにすると、連通穴を介して収容部に収容したメディアに触れることができ、メディアを出入口から取り出すに際し、連通穴からメディアを経路に向けて押すことができ、メディアを円滑に取り出すことができる。
【００１４】
【発明の実施の形態】
以下、本発明の一実施形態にかかるメディアケースについて、添付図面（図１乃至図３）を参酌しつつ説明する。なお、メディアケースは、プレート状のメディア（記憶媒体）を収容するものであり、本実施形態において、ＣＤやＤＶＤ等のドーナツ板状に形成されたメディアをメディアケースに収容する対象として説明する。
【００１５】
本実施形態にかかるメディアケースは、図１に示す如く、ＣＤやＤＶＤ等のメディアＭ（以下、単にメディアという）を収容するケース本体１と、該ケース本体１に収容したメディアＭを収容状態に保持する保持体２とで構成されている。
【００１６】
前記ケース本体１は、紙で構成されており、メディアＭを出し入れする出入口１０と、該出入口１０から出し入れされるメディアＭの両面を案内する対向した一対の案内面１１ａ，１１ｂとを備えており、前記一対の案内面１１ａ，１１ｂ間には、メディアＭを収容する収容部１２と、該収容部１２と出入口１０とを連通させる経路１３とが形成されている。
【００１７】
具体的に説明すると、該ケース本体１は、メディアＭの厚みに対応する間隔を有して対向配置された一対の外板１４，１５と、該外板１４，１５間に介装され、外板１４，１５間の間隔を維持させるスペーサー板１６とで構成されおり、これらが積層状態で貼り合わされることで形成されている。
【００１８】
前記一対の外板１４，１５は、平面視略方形状に形状設定された所定厚みの厚紙から構成されており、一方の外板１４には、収容部１２と外部とを連通させ連通穴１７と、前記保持体２を操作するための操作穴１８とが穿設されている。
【００１９】
該連通穴１７は、収容したメディアＭの一方の面（記憶面に対して裏面）が露呈し、外部からメディアＭに触れることができ、且つ収容部１２に収容したメディアＭが抜け落ちないように、メディアＭの外径よりも小径に設定されている。また、操作穴１８は、長穴状に形成されており、後述する保持体内装部１９と外部とを連通させている。
【００２０】
前記スペーサー板１６は、二分割されており、前記外板１４，１５の一端に沿って貼り付けられる第一板１６ａと、外板１４，１５の他端に沿って貼り付けられる第二板１６ｂとで構成されている。
【００２１】
第一板１６ａ及び第二板１６ｂは、前記一対の外板１４，１５と共に、外板１４，１５の一側端面に沿って開口したスリット状の前記出入口１０と、メディアＭの平面形状に対応して平面視円形状の空間からなる前記収容部１２と、出入口１０と収容部１２との間でメディアＭが移動できるように、出入口１０と収容部１２とを連通させた空間からなる前記経路１３とを形成できるように形状設定されている。
【００２２】
また、該第一板１６ａ及び第二板１６ｂは、前記一対の外板１４，１５と共に、前記経路１３に連通して外板１４，１５の他側面に沿って開口した平面視略矩形状の空間からなる保持体内装部１９を形成するようにも形状設定されている。
【００２３】
該収容部１２及び経路１３を形成する一対の外板１４，１５の対向面は、前記収容部１２及び経路１３の内部を移動するメディアＭの両面を案内するように構成されている。つまり、前記一対の案内面１１ａ，１１ｂは、第一板１６ａ及び第二板１６ｂの対向端面間に位置する一対の外板１４，１５の対向面により構成されている。なお、図において示していないが、該一対の案内面１１ａ，１１ｂのうち、メディアＭの記憶面を案内する案内面１１ｂには、メディアＭの取り出し時に記憶面を傷つけることがないように、不織布等の保護地を貼着することが好ましい。
【００２４】
前記保持体２は、前記スペーサー板１６と同様の厚紙をから形成されており、前記保持体内装部１９にスライド可能に内装されており、保持体内装部１９と経路１３との接続部分を介して、前記経路１３に対して出退可能に形状設定されており、本実施形態にかかる保持体２は、経路１３内に突出させた際に、該突出した部分が収容部１２に収容したメディアＭの外周に接触するように構成されている（図２及び図３参照）。
【００２５】
また、該保持体２は、保持体内装部１９に内装されることで、一対の外板１６ａ，１６ｂの対向面に面接触した状態となり、この接触抵抗によって不用意にスライドしないようになっている。
【００２６】
なお、本実施形態にかかる保持体２は、操作穴１８の長手方向にスライドできるようになっており、該操作穴１８から露呈する部分に、滑り止め用凹部２０、及びメディアＭの保持を解除することのできるスライド方向の目印２１が、刻印されている。
【００２７】
保持体２、及び保持体内装部１９（第一板１６ａ、及び第二板１６ｂ）は、保持体２を経路１３内に突出させた際に保持体２が必要以上突出することなく、また、経路１３から退避させた際に、その保持体２が開口から脱落しないように構成されている。
【００２８】
以上構成のメディアケースにメディアＭを収容する場合、図２に示す如く、保持体２を経路１３から退避させた状態で、出入口１０からメディアＭを挿入する。そうすると、そのメディアＭは、第一板１６ａ及び第二板１６ｂの対向端面に外周が案内されるとともに、両面が一対の案内面１１ａ，１１ｂ（一対の外板１４，１５の対向面）によって案内されつつ収容部１２内に導かれることになる。そして、メディアＭが完全に収容部１２内に配置されると、操作穴１８を介して保持体２をスライドさせ、保持体２を経路１３内に突出させる。
【００２９】
そうすると、図３に示す如く、その保持体２の突出した経路１３の経路幅Ｗ１は、メディアＭの外径Ｄよりも狭くなるので、メディアＭが経路１３を通過することの出来ない状態となる。しかも、本実施形態にかかる保持体２は、経路１３内に突出させた状態で、収容部１２内のメディアＭの外周に接触するように構成されているので、メディアＭにおける面方向の移動が完全に規制された状態となる。また、収容部１２内のメディアＭは、一方の面が他方の外板１５の案内面１１ｂに対して略全面接触し、他方の面が、連通穴１７の形成された部分を除いて一方の外板１４の案内面１１ａに略接触した状態となって、一対の案内面１１ａ，１１ｂ（一対の外板１６ａ，１６ｂ）間に介在しているので、面と直交する方向への移動も規制された状態となっている。従って、収容部１２に収容されたメディアＭは、メディアケース内で所定位置で維持された状態で収容され（収容状態で保持され）、保護された状態となる。
【００３０】
図２に戻り、収容部１２に収容したメディアＭを取り出す場合には、保持体２をスライドさせて経路１３から退避させる。そうすると、保持体２とメディアＭの外周との接触が解除されるとともに、収容部１２から出入口１０にかけて経路１３の経路幅ＷがメディアＭの外径Ｄに対応した状態、すなわち、メディアＭの外径Ｄよりやや広くなってメディアＭの通過が許容された状態となる。
【００３１】
この状態で、前記連通穴１７を介してメディアＭを経路１３に向けて押すと、当該メディアＭが経路１３を介して出入口１０から出てくることになる。この場合においても、当然メディアＭは、第一板１６ａ及び第二板１６ｂの対向端面に外周が案内されるとともに、両面が一対の案内面１１ａ，１１ｂ（一対の外板１４，１５の対向面）によって案内されることになる。
【００３２】
以上のように、上記構成のメディアケースによれば、前記ケース本体１が、メディアＭを出し入れするスリット状の出入口１０と、メディアＭの両面を案内可能な対向した一対の案内面１１ａ，１１ｂとを備え、該一対の案内面１１ａ，１１ｂ間には、メディアＭを収容する収容部１２と、前記出入口１０と収容部１２とを連通させる経路１３とが形成されているので、出入口１０からメディアＭを挿入するだけで、該メディアＭは、一対の案内面１１ａ，１１ｂによって両面が案内された状態で、経路１３を介して収容部１２に到達させることができる。
【００３３】
また、保持体２を経路１３に対して出退可能に設け、経路１３内に突出することで収容部１２内のメディアＭが出入口１０に向けて移動するのを規制するように構成したので、保持体２を経路１３内に突出させるだけで、収容したメディアＭを、両面が案内面に挟まれた状態で出入口１０への移動規制を行うことができ、メディアＭを容易且つ迅速に収容状態で保持することができる。
【００３４】
その上、保持体２を経路１３から退避させるだけで、メディアＭが出入口１０に向けて移動できるように構成されているので、メディアＭをケース本体１から無理矢理取り外すといった態様にはならず、メディアＭを安全且つ確実に取り出すことができる。
【００３５】
したがって、当該メディアケースは、メディアＭを収容状態で保持する際や、当該メディアケースからメディアを取り出す際に、従来の保持爪に嵌脱させるときのようなメディアＭに対する大きな力を作用させることがなく、メディアＭにとっても良好なものである。
【００３６】
また、一方の外板１４に連通穴１７を設けたので、メディアＭを取り出すに際し、該メディアＭを経路１３乃至出入口１０に押し出すことができ、メディアＭの取り出しをさらに迅速に行うことができる。また、連通穴１７を設けたことで、収容部１２内のメディアＭの有無も確認することができる。
【００３７】
さらに、ケース本体１及び保持体２を厚紙から形成したので、当該メディアケースは、軽量でありながらメディアＭの保護を十分に達成できる。また、樹脂成形品のように金型を必要としないため、低コストで製造することができる。
【００３８】
尚、本発明のメディアケースは、上記実施形態に限定されるものではなく、本発明の要旨を逸脱しない範囲内において種々変更を加え得ることは勿論である。
【００３９】
上記実施形態において、ケース本体１を厚紙１４，１５，１６を積層状態にして貼り合わせて形成し、また保持体２についても厚紙から形成したが、これに限定されるものではなく、ケース本体１、及び保持体２は、例えば、樹脂などを成形したものであってもよい。また、ケース本体１は、積層状態で形成したものに限定されるものではなく、上記実施形態にかかる外板１４，１５、及びスペーサー板１６に相当する構成を一体的に成形しても勿論よい。
【００４０】
上記実施形態において、保持体２をケース本体１の保持体内装部１９に脱落等を防止してスライド可能に設けたが、これに限定されるものではなく、例えば保持体２をケース本体１に対して抜き差し可能に構成してもよい。このようにしても、保持体２をケース本体１に差し込んだ際には、経路１３内に突出できるように構成し、メディアＭの移動を規制するようにすることは勿論のことである。また、ケース本体１に保持体２を枢着し、該保持体２を回転させることで経路１３に対して出退させるようにしてもよい。
【００４１】
また、上記実施形態において、一方の外板１４に連通穴１７を穿設したが、これに限定されるものではなく、連通穴１７は必要に応じて設けばよい。ただし、収容部１２内のメディアＭの有無の確認、収容部１２からのメディアＭの取り出しの作業性を鑑みれば、連通穴１７を設けることが好ましい。
【００４２】
上記実施形態において、一方の外板１４のみに連通穴１７を穿設したが、これに限定されるものではなく、例えば、一対の外板１４，１５の両方に連通穴を穿設してもよい。この場合、収容部１２に収容したメディアＭが連通穴から両面が露呈することになるので、少なくとも記憶面に対応する側の連通穴は、メディアＭの記憶面（データの書き込み対象領域）が露呈しない穴径に設定することは勿論のことである。
【００４３】
上記実施形態において、収容するメディアＭとしてドーナツ板状のＣＤやＤＶＤ等を採用したが、これに限定されるものではなく、例えば、平面視角形で中央部に穴が穿設されたプレート状の変形ＣＤや、ＳＤカード、コンパクトフラッシュメモリ等の端子の露出した平面視角形をなすプレート状のメディアであってもよい。この場合、メディアの平面形状に対応するように、収容部１２を平面視角形の空間をなるように形成し、経路１３を当該メディアが通過できるように構成することは勿論のことである。
【００４４】
【発明の効果】
以上のように、本発明にかかるメディアケースによれば、プレート状のメディアを収容するケース本体と、該ケース本体に収容したメディアを収容状態で保持する保持体とを備え、前記ケース本体は、メディアを出し入れするスリット状の出入口と、該出入口から出し入れされるメディアの両面を案内可能に対向した一対の案内面とを備え、一対の案内面間には、メディアを収容する収容部と、前記出入口と収容部とを連通させる経路とが形成され、前記保持体は、前記経路に対して出退可能に設けられ、経路内に突出することで収容部内のメディアが出入口に向けて移動するのを規制する一方、経路から退避することでメディアが出入口に向けて移動できるように構成されているので、メディアを保護することができ、しかも該メディアを安全且つ確実に取り出すことができるという優れた効果を奏し得る。
【図面の簡単な説明】
【図１】本発明の一実施形態にかかるメディアケースの全体斜視図を示す。
【図２】同実施形態のメディアケースの平面断面図（図１におけるＡ−Ａ断面図）であって、メディアの移動を規制を解除した状態を示す。
【図３】同実施形態のメディアケースの平面断面図（図１におけるＡ−Ａ断面図）であって、メディアの移動を規制した状態を示す。
【符号の説明】
１…ケース本体、２…保持体、１０…出入口、１１ａ，１１ｂ…案内面、１２…収容部、１３…経路、１４，１５…外板、１６…スペーサー板、１６ａ…第一板、１６ｂ…第二板、１７…連通穴、１８…操作穴、１９…保持体内装部、２０…滑り止め用凹部、２１…目印、Ｍ…メディア
【図１】
2005004938.tif 000003
【図２】
2005004938.tif 000004
【図３】
2005004938.tif 000005